(57)【要約】【課題】ユーザによる所望の切換条件の設定に基づいて、バックライトのＯＮ／ＯＦＦの切換えを制御することができる印刷装置を提供する。【解決手段】ディスプレイの照明となるバックライトと、バックライトのＯＮ／ＯＦＦを切り換える切換条件を設定するための条件設定手段と、設定された切換条件に基づいて、バックライトのＯＮ／ＯＦＦの切換えを制御するライトＯＮ／ＯＦＦ制御手段と、を備え、条件設定手段により切換条件を設定し、設定した切換条件に基づいて、ライトＯＮ／ＯＦＦ制御手段によりバックライトのＯＮ／ＯＦＦを切り換える。【選択図】図３
2008221648.tif 000002
【特許請求の範囲】
【請求項１】
ディスプレイの照明となるバックライトと、
前記バックライトのＯＮ／ＯＦＦを切り換える切換条件を設定するための条件設定手段と、
前記条件設定手段により設定された前記切換条件に基づいて、前記バックライトのＯＮ／ＯＦＦの切換えを制御するライトＯＮ／ＯＦＦ制御手段と、を備えたことを特徴とする印刷装置。
【請求項２】
前記条件設定手段は、テキストデータの書体が変更された場合、前記バックライトのＯＮ／ＯＦＦが切換えられるよう前記切換条件を設定することを特徴とする請求項１に記載の印刷装置。
【請求項３】
前記条件設定手段は、テキストデータのフォントサイズが変更された場合、前記バックライトのＯＮ／ＯＦＦが切換えられるよう前記切換条件を設定することを特徴とする請求項１または２に記載の印刷装置。
【請求項４】
前記条件設定手段は、テキストデータが改段落された場合、前記バックライトのＯＮ／ＯＦＦが切換えられるよう前記切換条件を設定することを特徴とする請求項１ないし３のいずれかに記載の印刷装置。
【請求項５】
前記条件設定手段は、テキストデータに所定の装飾が施された場合、前記バックライトのＯＮ／ＯＦＦが切換えられるよう前記切換条件を設定することを特徴とする請求項１ないし４のいずれかに記載の印刷装置。
【請求項６】
前記条件設定手段は、入力されたテキストデータの文字数が、予め設定された文字数を超えた場合、前記バックライトのＯＮ／ＯＦＦが切換えられるよう前記切換条件を設定することを特徴とする請求項１ないし５のいずれかに記載の印刷装置。
【請求項７】
前記条件設定手段は、入力されたテキストデータに基づいてコード化されたシンボル画像が生成された場合、前記バックライトのＯＮ／ＯＦＦが切換えられるよう前記切換条件を設定することを特徴とする請求項１ないし６のいずれかに記載の印刷装置。
【請求項８】
前記条件設定手段は、テキストデータの読み姿勢が、縦書き姿勢と横書き姿勢との間で変更された場合、前記バックライトのＯＮ／ＯＦＦが切換えられるよう前記切換条件を設定することを特徴とする請求項１ないし７のいずれかに記載の印刷装置。
【請求項９】
前記条件設定手段は、テキストデータを編集するための複数の編集モードが切り換えられた場合、前記バックライトのＯＮ／ＯＦＦが切換えられるよう前記切換条件を設定することを特徴とする請求項１ないし８のいずれかに記載の印刷装置。
【請求項１０】
前記条件設定手段は、テキストデータに基づいて印刷される印刷テープのテープ長が設定された場合、前記バックライトのＯＮ／ＯＦＦが切換えられるよう前記切換条件を設定することを特徴とする請求項１ないし９のいずれかに記載の印刷装置。
【請求項１１】
前記条件設定手段は、前記テキストデータの文字数が、設定された前記テープ長に収容可能な文字数を超えた場合、前記バックライトのＯＮ／ＯＦＦが切換えられるよう前記切換条件を設定することを特徴とする請求項１０に記載の印刷装置。
【請求項１２】
前記条件設定手段は、入力されたテキストデータの文字数が、前記ディスプレイの表示エリアに表示可能な文字数からあふれた場合、前記バックライトのＯＮ／ＯＦＦが切換えられるよう前記切換条件を設定することを特徴とする請求項１ないし１１のいずれかに記載の印刷装置。
【請求項１３】
前記条件設定手段は、テキストデータを表示するテキスト表示画面から、記憶されたテキストデータを呼び出すためのテキスト呼出画面に切り換えた場合、前記バックライトのＯＮ／ＯＦＦが切換えられるよう前記切換条件を設定することを特徴とする請求項１ないし１２のいずれかに記載の印刷装置。
【請求項１４】
前記条件設定手段は、前記切換条件を複数設定するための複数の切換条件選択肢を有しており、
前記複数の切換条件選択肢の少なくとも１つを選択して、前記バックライトのＯＮ／ＯＦＦを切り換える前記切換条件を設定する切換条件選択手段を、更に備えたことを特徴とする請求項１ないし１３のいずれかの印刷装置。
【発明の詳細な説明】
【技術分野】
【０００１】
本発明は、ディスプレイの照明となるバックライトを有する印刷装置に関するものである。
【背景技術】
【０００２】
従来、この種の印刷装置として、ディスプレイの背面にバックライトを配置したものが知られている（例えば、特許文献１参照）。この印刷装置では、所定の動作状態において、バックライトを点灯させると共に、製版動作中または印刷動作中の少なくとも一方の動作中において、バックライトを消灯または点滅させることで、バックライトの寿命の延命化を図っている。
【特許文献１】特開平１０−２０２８４４号公報
【発明の開示】
【発明が解決しようとする課題】
【０００３】
しかしながら、上記のような構成では、特定の動作状態に対応させてバックライトを点灯、消灯または点滅させているため、ユーザによりバックライトのＯＮ／ＯＦＦの切換えを任意に設定して制御することができない。これにより、バックライトの切換え設定の自由度が低く、使い勝手が悪い問題があった。
【０００４】
本発明は、ユーザによる所望の切換条件の設定に基づいて、バックライトのＯＮ／ＯＦＦの切換えを制御することができる印刷装置を提供することを課題とする。
【課題を解決するための手段】
【０００５】
本発明の印刷装置は、ディスプレイの照明となるバックライトと、バックライトのＯＮ／ＯＦＦを切り換える切換条件を設定するための条件設定手段と、条件設定手段により設定された切換条件に基づいて、バックライトのＯＮ／ＯＦＦの切換えを制御するライトＯＮ／ＯＦＦ制御手段と、を備えたことを特徴とする。
【０００６】
この構成によれば、条件設定手段によりユーザが任意に切換条件を設定し、設定した切換条件に基づいて、ライトＯＮ／ＯＦＦ制御手段によりバックライトのＯＮ／ＯＦＦを切り換えることができる。これにより、高い自由度でバックライトの切換えを行うことができるため、使い勝手の良いものとすることができる。
【０００７】
この場合、条件設定手段は、テキストデータの書体が変更された場合、バックライトのＯＮ／ＯＦＦが切換えられるよう切換条件を設定することが、好ましい。
【０００８】
この構成によれば、テキストデータの書体を変更することで、バックライトのＯＮ／ＯＦＦを切り換えることができるため、ユーザにテキストデータの書体を変更したことを報知することができる。
【０００９】
この場合、条件設定手段は、テキストデータのフォントサイズが変更された場合、バックライトのＯＮ／ＯＦＦが切換えられるよう切換条件を設定することが、好ましい。
【００１０】
この構成によれば、テキストデータのフォントサイズを変更することで、バックライトのＯＮ／ＯＦＦを切り換えることができるため、ユーザにテキストデータのフォントサイズを変更したことを報知することができる。
【００１１】
この場合、条件設定手段は、テキストデータが改段落された場合、バックライトのＯＮ／ＯＦＦが切換えられるよう切換条件を設定することが、好ましい。
【００１２】
この構成によれば、テキストデータを改段落することで、バックライトのＯＮ／ＯＦＦを切り換えることができるため、ユーザにテキストデータを改段落したことを報知することができる。
【００１３】
この場合、条件設定手段は、テキストデータに所定の装飾が施された場合、バックライトのＯＮ／ＯＦＦが切換えられるよう切換条件を設定することが、好ましい。
【００１４】
この構成によれば、テキストデータに装飾を施すことで、バックライトのＯＮ／ＯＦＦを切り換えることができるため、ユーザにテキストデータに装飾を施したことを報知することができる。
【００１５】
この場合、条件設定手段は、入力されたテキストデータの文字数が、予め設定された文字数を超えた場合、バックライトのＯＮ／ＯＦＦが切換えられるよう切換条件を設定することが、好ましい。
【００１６】
この構成によれば、入力されたテキストデータの文字数が、予め設定された文字数を超えることで、バックライトのＯＮ／ＯＦＦを切り換えることができるため、ユーザに予め設定された文字数を超えたことを報知することができる。
【００１７】
この場合、条件設定手段は、入力されたテキストデータに基づいてコード化されたシンボル画像が生成された場合、バックライトのＯＮ／ＯＦＦが切換えられるよう切換条件を設定することが、好ましい。
【００１８】
この構成によれば、入力されたテキストデータに基づいてコード化されたシンボル画像が生成されることで、バックライトのＯＮ／ＯＦＦを切り換えることができるため、ユーザにシンボル画像が生成されたことを報知することができる。なお、シンボル画像としては、バーコードやＱＲコード等がある。
【００１９】
この場合、条件設定手段は、テキストデータの読み姿勢が、縦書き姿勢と横書き姿勢との間で変更された場合、バックライトのＯＮ／ＯＦＦが切換えられるよう切換条件を設定することが、好ましい。
【００２０】
この構成によれば、テキストデータの読み姿勢が、縦書き姿勢と横書き姿勢との間で変更されることで、バックライトのＯＮ／ＯＦＦを切り換えることができるため、ユーザにテキストデータの読み姿勢が変更されたことを報知することができる。
【００２１】
この場合、条件設定手段は、テキストデータを編集するための複数の編集モードが切り換えられた場合、バックライトのＯＮ／ＯＦＦが切換えられるよう切換条件を設定することが、好ましい。
【００２２】
この構成によれば、テキストデータを編集するための複数の編集モードが切り換えられることで、バックライトのＯＮ／ＯＦＦを切り換えることができるため、ユーザに複数の編集モードが切り換えられたことを報知することができる。
【００２３】
この場合、条件設定手段は、テキストデータに基づいて印刷される印刷テープのテープ長が設定された場合、バックライトのＯＮ／ＯＦＦが切換えられるよう切換条件を設定することが、好ましい。
【００２４】
この構成によれば、キストデータに基づいて印刷される印刷テープのテープ長が設定されることで、バックライトのＯＮ／ＯＦＦを切り換えることができるため、ユーザに印刷テープのテープ長が設定されたことを報知することができる。
【００２５】
この場合、条件設定手段は、テキストデータの文字数が、設定されたテープ長に収容可能な文字数を超えた場合、バックライトのＯＮ／ＯＦＦが切換えられるよう前記切換条件を設定することが、好ましい。
【００２６】
この構成によれば、テキストデータの文字数が、設定されたテープ長に収容可能な文字数を超えることで、バックライトのＯＮ／ＯＦＦを切り換えることができるため、ユーザに設定されたテープ長に収容可能な文字数を超えたことを報知することができる。
【００２７】
この場合、条件設定手段は、入力されたテキストデータの文字数が、ディスプレイの表示エリアに表示可能な文字数からあふれた場合、バックライトのＯＮ／ＯＦＦが切換えられるよう切換条件を設定することが、好ましい。
【００２８】
この構成によれば、入力されたテキストデータの文字数が、ディスプレイの表示エリアに表示可能な文字数からあふれることで、バックライトのＯＮ／ＯＦＦを切り換えることができるため、ユーザにディスプレイの表示エリアに表示可能な文字数からあふれたことを報知することができる。
【００２９】
この場合、条件設定手段は、テキストデータを表示するテキスト表示画面から、記憶されたテキストデータを呼び出すためのテキスト呼出画面に切り換えた場合、バックライトのＯＮ／ＯＦＦが切換えられるよう切換条件を設定することが、好ましい。
【００３０】
この構成によれば、テキストデータを表示するテキスト表示画面から、記憶されたテキストデータを呼び出すためのテキスト呼出画面に切り換えることで、バックライトのＯＮ／ＯＦＦを切り換えることができるため、ユーザにテキスト呼出画面に切り換えたことを報知することができる。
【００３１】
この場合、条件設定手段は、切換条件を複数設定するための複数の切換条件選択肢を有しており、複数の切換条件選択肢の少なくとも１つを選択して、バックライトのＯＮ／ＯＦＦを切り換える切換条件を設定する切換条件選択手段を、更に備えたことが、好ましい。
【００３２】
この構成によれば、複数の切換条件を設定することができるため、これらを組み合わせることで、より複雑な切換条件を設定することができる。
【発明を実施するための最良の形態】
【００３３】
以下、添付の図面を参照して、本実施形態に係る印刷装置を適用したテープ印刷装置について説明する。このテープ印刷装置は、バックライトを有するディスプレイを備えており、ディスプレイ上を視認しながら印刷テープに印刷するためのキャラクタデータを作成する。この後、印刷開始を指示すると、作成したキャラクタデータに基づいて印刷テープに印刷を行った後、印刷テープの印刷済み部分を切断してラベルを作成する。
【００３４】
図１および図２に示すように、テープ印刷装置１は、印刷テープＴに対して印刷処理を行うものであり、テープ印刷装置１には、印刷テープＴおよびインクリボンＲを収容したテープカートリッジＣが着脱自在に装着される。
【００３５】
テープ印刷装置１は、装置ケース３により外殻が形成され、装置ケース３の前半部上面には、各種キー４を備えたキーボード５が配設されている。装置ケース３の後半部左上面には、開閉蓋６が広く設けられ、開閉蓋６の前側にはこれを開放する蓋体開放ボタン８が設けられている。また、装置ケース３の後半部右上面には、キーボード５からの入力結果等を表示する長方形のディスプレイ９が配設されており、その裏側には、ディスプレイ９の照明となるバックライト７が配設されている。このため、ディスプレイ９は、暗所における視認性を確保すべく、バックライト７を点灯させるが、明所においては、バックライト７を点灯させなくても、視認が可能なように構成されている。なお、本実施形態において、バックライト７は、単色発光となっている。
【００３６】
蓋体開放ボタン８を押して開閉蓋６を開放すると、その内部には、テープカートリッジＣが装着されるカートリッジ装着部１０が窪入形成されおり、カートリッジ装着部１０には、テープカートリッジＣから繰り出される印刷テープＴに熱転写による印刷を行うサーマルヘッド１５と、後述するプラテンローラ３８に嵌合してこれを回転駆動させるプラテン駆動軸１６とが立設されている。
【００３７】
装置ケース３の左側部には、カートリッジ装着部１０と装置外部とを連通するテープ排出口１７が形成され、装置ケース３内部には、このテープ排出口１７に臨むよう、カッタモータ６１の駆動による印刷テープＴの切断動作を行うカッタユニット１８が内蔵されている。
【００３８】
テープカートリッジＣは、カートリッジケース３０により外殻が形成され、カートリッジケース３０の内部には、ロール状に巻回した印刷テープＴおよびインクリボンＲが収容されると共に、印刷テープＴを送るプラテンローラ３８が配置されている。なお、印刷テープＴは、いわゆる、剥離紙付きの粘着テープである。
【００３９】
テープカートリッジＣをカートリッジ装着部１０に装着して、開閉蓋６を閉塞すると、サーマルヘッド１５が回動して、サーマルヘッド１５とプラテンローラ３８との間に、印刷テープＴおよびインクリボンＲを挟み込み、テープ印刷装置１は印刷待機状態となる。そして、キーボード５上の印刷キーが押下されると、サーマルヘッド１５が駆動を開始すると共に、テープ送り機構（図示省略）によりプラテン駆動軸１６を回転させる。すると、プラテンローラ３８が回転して、挟み込んでいる印刷テープＴおよびインクリボンＲを併走させると共に、サーマルヘッド１５によりインクリボンＲのインクを印刷テープＴに熱転写し、所望の印刷を行う。
【００４０】
そして、サーマルヘッド１５およびプラテンローラ３８により印刷送りされる印刷テープＴは、続いてカッタユニット１８に臨む。ここで、カッタユニット１８により、印刷テープＴの印刷済み部分が切断されてテープ片（ラベル）Ｔａが作成される。また、両図では省略したが、装置ケース３の内部には、テープ印刷装置１を統括制御する制御部５５を構成する回路基板が搭載されている。
【００４１】
次に、図３を参照し、テープ印刷装置１の制御系の構成について説明する。テープ印刷装置１は、操作部５１と、印刷部５２と、切断部５３と、駆動部５４と、各部と接続され、装置全体を制御する制御部５５とにより構成されている。操作部５１は、キーボード５、ディスプレイ９およびバックライト７を有し、ユーザによる文字情報の入力や各種情報の表示等のユーザインタフェースを司っている。印刷部５２は、サーマルヘッド１５および印刷送りモータ６０を有し、印刷テープＴおよびインクリボンＲを送りながら、入力された文字情報に基づいて印刷する。切断部５３は、カッタユニット１８を駆動するカッタモータ６１を有し、印刷済みの印刷テープＴにフルカットを行う。駆動部５４は、ディスプレイドライバ６２、バックライトドライバ（ライトＯＮ／ＯＦＦ制御手段）６３、ヘッドドライバ６４、印刷送りモータドライバ６５、カッタモータドライバ６６を有し、各部を駆動させる。
【００４２】
制御部５５は、ＣＰＵ７０、ＲＯＭ７１、ＲＡＭ７２および入力制御装置７３（ＩＯＣ：Input Output Controller）を備え、互いに内部バス７４により接続されている。なお、ＲＯＭ７１には、印刷テープＴに印刷するためのキャラクタデータを作成するキャラクタデータ作成アプリケーション７５や、装置内で用意しているアウトラインフォント（記号、数字、文字等）等が記憶されている。このキャラクタデータ作成アプリケーション７５は、バックライト７のＯＮ／ＯＦＦの切換えの設定を行なうためのバックライト設定メニュー（条件設定手段）８０を有しており、バックライトドライバ６３は、バックライト設定メニュー８０により設定されたバックライト７の切換条件に基づいて、バックライト７のＯＮ／ＯＦＦを制御している（詳細は後述）。そして、ＣＰＵ７０はＲＯＭ７１内の制御プログラムにしたがって、ＩＯＣ７３を介してテープ印刷装置１の各部から各種信号・データを入力する。また、入力した各種信号・データに基づいて、ＲＡＭ７２内の各種データを処理し、ＩＯＣ７３を介してテープ印刷装置１内の各部に各種信号データを出力し、これにより印刷処理の制御等を行う。
【００４３】
ここで、本実施形態のテープ印刷装置１では、上記したバックライト設定メニュー８０により、バックライト７のＯＮ／ＯＦＦの切換条件を設定することが可能な構成となっている。先ず、図４ないし図６を参照して、バックライト設定メニュー８０について説明する。
【００４４】
バックライト設定メニュー８０は、複数の切換条件選択肢（以下、選択肢と言う）が選択可能に表示されており、カテゴリ別に分類されている（図５（ｂ）参照）。複数の選択肢としては、「モード設定」、「スタイル設定」、「書式設定」、「テキスト内容」および「設定終了」があり、これらが第１階層となっている。
【００４５】
「モード設定」を選択して表示されるモード設定メニューは、例えば、上記のバックライト設定メニュー８０と同様に、「明朝体」、「ゴシック体」、「強調」、「デフォルト変更」等、複数の選択肢が選択可能に表示されており、これらが第２階層となっている。「明朝体」は、アウトラインフォントの書体が明朝体に設定された場合に、バックライト７のＯＮ／ＯＦＦを切り換えるよう設定するものである。「ゴシック体」は、アウトラインフォントの書体がブロック体に設定された場合に、バックライト７のＯＮ／ＯＦＦを切り換えるよう設定するものである。「強調」は、アウトラインフォントの書体が太字となって強調された場合に、バックライト７のＯＮ／ＯＦＦを切り換えるよう設定するものである。「デフォルト変更」は、テープ印刷装置の起動時におけるデフォルトのアウトラインフォントから、それとは異なるアウトラインフォントに変更された場合に、バックライト７のＯＮ／ＯＦＦを切り換えるように設定するものである。
【００４６】
「スタイル設定」を選択して表示されるスタイル設定メニュー８１は、例えば、「改段落」、「サイズ変更」、「縦書き」、「外枠」等、複数の選択肢が選択可能に表示されており（図５（ｄ）参照）、上記のモード設定メニューと同様に、これらが第２階層となっている。「改段落」は、後述する入力編集モード８５において入力した文字列（テキストデータ）が改段落された場合に、バックライト７のＯＮ／ＯＦＦを切り換えるよう設定するものである。「サイズ変更」は、アウトラインフォントのフォントサイズが変更された場合に、バックライト７のＯＮ／ＯＦＦを切り換えるよう設定するものである。「縦書き」は、デフォルトで印刷テープＴに対し横書きとなるよう設定された文字列が、縦書きに変更された場合に、バックライト７のＯＮ／ＯＦＦを切り換えるよう設定するものである。「外枠」は、入力編集モード８５において入力した文字列に外枠が付された場合に、バックライト７のＯＮ／ＯＦＦを切り換えるよう設定するものである。
【００４７】
「書式設定」を選択して表示される書式設定メニューは、例えば、「定長」、「地紋」、「定長オーバー」、「割付」等、複数の選択肢が選択可能に表示されており、上記と同様に、これらが第２階層となっている。「定長」は、印刷テープＴのテープ長が設定された場合に、バックライト７のＯＮ／ＯＦＦを切り換えるよう設定するものである。「定長オーバー」は、入力した文字数が、設定されたテープ長に収容可能な文字数を超えた場合に、バックライト７のＯＮ／ＯＦＦを切り換えるよう設定するものである。「地紋」は、入力した文字列に地紋装飾が施された場合に、バックライト７のＯＮ／ＯＦＦを切り換えるよう設定するものである。「割付」は、印刷テープＴに設定された印刷領域に対し、入力した文字列が均等に割り付け配置された場合に、バックライト７のＯＮ／ＯＦＦを切り換えるよう設定するものである。
【００４８】
「テキスト内容」を選択して表示されるテキスト内容設定メニューは、例えば、「バーコード入力」、「指定文字数超過」等、複数の選択肢が選択可能に表示されており、上記と同様に、これらが第２階層となっている。「バーコード入力」は、印刷テープＴに設定された印刷領域に対し、バーコード（シンボル画像）が設定された場合、バックライト７のＯＮ／ＯＦＦを切り換えるよう設定するものである。「指定文字数超過」は、入力された文字数が、予め設定された文字数を超えた場合に、バックライト７のＯＮ／ＯＦＦを切り換えるよう設定するものである。
【００４９】
上記の第２階層における各選択肢を選択すると、バックライトＯＮ／ＯＦＦ設定メニュー８２が表示され（図６（ｆ）参照）、これが第３階層となっている。バックライトＯＮ／ＯＦＦ設定メニュー８２は、「点灯」および「消灯」の選択肢が設けられており、これらの選択肢のいずれかを選択することで、第２階層における設定がなされた場合に、バックライト７の点灯または消灯を行なうよう設定する。各選択肢を選択すると、上記のバックライト設定メニュー８０に戻ると共に、「設定終了」を選択することで、バックライト７の切換条件の設定を終了する。
【００５０】
次に、図５および図６を参照して、バックライト７の切換条件を設定する一連の動作について、ユーザによる操作手順を中心に説明する。先ず、キーボード５の電源キーを押して電源をオンにすると、テープ印刷装置１は、キー入力可能な操作状態で起動する。ＲＯＭ７１内のキャラクタデータ作成アプリケーション７５には、任意の文字列を入力・編集するための入力編集モード８５、２次元コード等のシンボル画像を作成・編集するためのシンボル画像編集モード、文字の設定を行なう文字設定モード等、各種モードが用意されており、所定のキー操作により各モードが呼び出され、各モード専用の入力画面から、キャラクタデータがそれぞれ作成される。なお、起動時には、デフォルトとして入力編集モード８５となっている（図５（ａ）参照）。
【００５１】
ディスプレイ９上に表示された入力編集モード８５は、その下半部が、印刷画像を入力・編集するための画像編集領域８６となっており、その上半部が、印刷画像の印刷イメージをプレビュー表示するためのプレビュー領域８７となっている。画像編集領域８６には、各文字列が何行目に位置するかを表示した行頭マーク８８と、編集入力位置を指標するカーソル８９とが表示されている。キーボード５から文字列が入力されると、画像編集領域８６には、文字列が横書きに表示され、文字列が複数行に亘る場合には、行毎に上下に並べて表示される。また、文字列が複数段落に亘る場合にも、段落毎に上下に並べて表示される。プレビュー領域８７には、画像編集領域８６上で入力・編集されたキャラクタデータの印刷イメージが白黒反転表示され、文字列が複数行に亘る場合には、行毎に印刷テープＴの幅方向に並べて表示され、文字列が複数段落に亘る場合には、段落毎に印刷テープＴの長さ方向に並べて表示される。
【００５２】
ここで、バックライト７の切換条件を設定すべく、所定のキー操作によりバックライト設定メニュー８０を開く。例えば、入力されるアウトラインフォントのフォントサイズの変更に伴い、バックライト７を点灯させる場合は、先ず、バックライト設定メニュー８０の各選択肢のうち、キー操作を行なって「スタイル設定」の選択肢を選択し、スタイル設定メニュー８１を開く。
【００５３】
スタイル設定メニュー８１が表示されると、今度は、スタイル設定メニュー８１の選択肢のうち、キー操作を行なって「サイズ変更」の選択肢を選択する。すると、バックライトＯＮ／ＯＦＦ設定メニュー８２が表示される。次に、バックライトＯＮ／ＯＦＦ設定メニュー８２において、「点灯」の選択肢を選択すると、上記のバックライト設定メニュー８０に戻ると共に、「設定終了」を選択することで、バックライト７の切換条件の設定を終了し、上記の入力編集モード８５に移行する。この設定により、アウトラインフォントのフォントサイズが変更されると、この動作に伴って、バックライト７が点灯するため、ユーザにフォントサイズが変更された旨、報知することができる。
【００５４】
以上の構成によれば、バックライト設定メニュー８０によりユーザが任意に切換条件を設定し、設定した切換条件に基づいて、バックライトドライバ６３によりバックライト７のＯＮ／ＯＦＦを切り換えることができる。これにより、高い自由度でバックライト７の切換えを行うことができるため、使い勝手の良いものとすることができ、また、バックライトが切り換えられることで、切換条件が満たされたことを、ユーザに報知することができる。なお、本実施形態では、バックライトＯＮ／ＯＦＦ設定メニュー８２において、「点灯」および「消灯」の２つの選択肢であったが、加えて「点滅」等の選択肢を設けてもよい。また、バックライト７が、多色発光が可能な構成であれば、複数の切換条件が設定された場合に、輝度や発光色を変えるような構成にしても良い。
【００５５】
また、図７に示すように、第２階層において、「その他」の選択肢を追加してもよい。このとき、「その他」を選択して表示されるその他設定メニューは、例えば、「あふれ文字」、「ファイル呼出」、「サンプルフォーム」、「かな漢字変換」等、複数の選択肢が選択可能に表示されている。「あふれ文字」は、キーボード５から入力した文字列が、ディスプレイ９の表示エリアに表示可能な文字数からあふれた場合に、バックライト７のＯＮ／ＯＦＦを切り換えるよう設定するものである。「ファイル呼出」は、入力編集モード８５から、所定のキー操作によりファイル呼出メニューを開いた場合に、バックライト７のＯＮ／ＯＦＦを切り換えるよう設定するものである。「サンプルフォーム」は、上記と同様に、入力編集モード８５から、所定のキー操作によりサンプルフォームメニューを開いた場合に、バックライト７のＯＮ／ＯＦＦを切り換えるよう設定するものである。「かな漢字変換」は、キーボード５から入力したかな文字から漢字に変換した場合に、バックライト７のＯＮ／ＯＦＦを切り換えるよう設定するものである。これにより、さらに詳細に、バックライト７の切換条件を設定することが可能となる。
【図面の簡単な説明】
【００５６】
【図１】本実施形態に係るテープ印刷装置の閉蓋状態の外観斜視図である。
【図２】本実施形態に係るテープ印刷装置の開蓋状態の外観斜視図である。
【図３】本実施形態に係るテープ印刷装置の制御ブロック図である。
【図４】バックライト設定メニューの模式図である。
【図５】バックライト設定メニューによりバックライトの切換条件を設定する前半工程図である。
【図６】バックライト設定メニューによりバックライトの切換条件を設定する後半工程図である。
【図７】バックライト設定メニューにおけるその他設定メニューの模式図である。
【符号の説明】
【００５７】
１…テープ印刷装置  ７…バックライト  ９…ディスプレイ  ６３…バックライトドライバ  ８０…バックライト設定メニュー
【図１】
2008221648.tif 000003
【図２】
2008221648.tif 000004
【図３】
2008221648.tif 000005
【図４】
2008221648.tif 000006
【図５】
2008221648.tif 000007
【図６】
2008221648.tif 000008
【図７】
2008221648.tif 000009